(57)【要約】【課題】発熱体収納函の冷却に使用される冷却システムにおいて、連続的な高周波発生雑音電波の放射を少なくし、設置作業を容易にするための発熱体収納函冷却装置の安定化電源回路を提供することを目的とする。【解決手段】発熱体収納函１０１より供給される商用交流電源１０７を所望の電圧範囲に変圧する商用電源トランス１１１を設け、公称電圧が２００Ｖから２５０Ｖに至る広範囲な商用交流電圧を所望の出力電圧範囲に収める前記商用電源トランス１１１の巻線に備えた複数のタップを自動的に切替える第１のリレー２ａおよび第２のリレー２ｂを備えたことで連続的な高周波発生雑音電波の少ない施工時作業工数の少ない発熱体収納函冷却装置の安定化電源回路を得られる。【選択図】図１
2007018422.tif 000002
【特許請求の範囲】
【請求項１】
発熱体収納函を冷却する発熱体収納函冷却装置において、発熱体収納函より供給される交流電圧を所望の電圧範囲に変圧する変圧手段として商用電源トランスを設け、商用交流電圧を所望の出力電圧範囲に収める手段として前記商用電源トランスの巻線に備えた複数のタップを自動的に切替えるタップ切替手段を備えたことを特徴とする発熱体収納函冷却装置の安定化電源回路。
【請求項２】
商用電源トランスの巻線に備えた複数のタップを自動的に切替えるタップ切替手段に前記商用電源トランスの出力電圧を検出する出力電圧検出手段を備えた請求項１記載の発熱体収納函冷却装置の安定化電源回路。
【請求項３】
出力電圧検出手段により、商用電源トランスの１次側巻線に設けた複数のタップに接続したタップ切替え手段の複数のスイッチ素子を動作させる請求項１または２記載の発熱体収納函冷却装置の安定化電源回路。
【請求項４】
出力電圧検出手段により、商用電源トランスの２次側巻線に設けた複数のタップに接続したタップ切替え手段のスイッチ素子を動作させる請求項１または２記載の発熱体収納函冷却装置の安定化電源回路。
【請求項５】
出力電圧検出手段により、商用電源トランスの１次側巻線および２次側巻線に設けた複数のタップに接続したタップ切替え手段のスイッチ素子を動作させる請求項１または２記載の発熱体収納函冷却装置の安定化電源回路。
【請求項６】
商用電源トランスの巻線に備えた複数のタップを自動的に切替えるタップ切替手段に発熱体収納函より供給される公称電圧が２００Ｖから２５０Ｖに至る広範囲な商用交流電圧の値を検出する入力交流電圧検出手段を備えた請求項１記載の発熱体収納函冷却装置の安定化電源回路。
【請求項７】
入力交流電圧検出手段により、商用電源トランスの１次側巻線に設けた複数のタップに接続したタップ切替え手段の複数のスイッチ素子を動作させる請求項１または６記載の発熱体収納函冷却装置の安定化電源回路。
【請求項８】
入力交流電圧検出手段により、商用電源トランスの２次側巻線に設けた複数のタップに接続したタップ切替え手段のスイッチ素子を動作させる請求項１または６記載の発熱体収納函冷却装置の安定化電源回路。
【請求項９】
入力交流電圧検出手段により、商用電源トランスの１次側巻線および２次側巻線に設けた複数のタップに接続したタップ切替え手段のスイッチ素子を動作させる請求項１または６記載の発熱体収納函冷却装置の安定化電源回路。
【請求項１０】
商用電源トランスの巻線に備えた複数のタップを自動的に切替えるタップ切替手段に発熱体収納函より供給される公称電圧が２００Ｖから２５０Ｖに至る広範囲な商用交流電圧の値を検出する入力交流電圧検出手段と前記商用電源トランスの出力電圧を検出する出力電圧検出手段を備えた請求項１記載の発熱体収納函冷却装置の安定化電源回路。
【請求項１１】
入力交流電圧検出手段および出力電圧検出手段により、商用電源トランスの１次側巻線に設けた複数のタップに接続したタップ切替え手段の複数のスイッチ素子を動作させる請求項１または１０記載の発熱体収納函冷却装置の安定化電源回路。
【請求項１２】
入力交流電圧検出手段および出力電圧検出手段により、商用電源トランスの２次側巻線に設けた複数のタップに接続したタップ切替え手段の複数のスイッチ素子を動作させる請求項１または１０記載の発熱体収納函冷却装置の安定化電源回路。
【請求項１３】
入力交流電圧検出手段および出力電圧検出手段により、商用電源トランスの１次側巻線および２次側巻線に設けた複数のタップに接続したタップ切替え手段のスイッチ素子を動作させる請求項１または１０記載の発熱体収納函冷却装置の安定化電源回路。
【発明の詳細な説明】
【技術分野】
【０００１】
本発明は、屋外に設置される函体構造物で内部に発熱体を有し、その発熱量が多く冬季においても冷却を有し、また、温度により性能、寿命に大きく影響を受けるような精密な機器を有する函に関し、特にその発熱体収納函冷却装置の電源安定化回路に関する。
【背景技術】
【０００２】
従来、この種の発熱体収納函冷却装置の電源安定化回路は、高周波スイッチングによるスイッチング電源を用いたものが知られている（例えば、非特許文献１参照）。
【０００３】
以下、その発熱体収納函冷却装置の電源安定化回路について図１３、図１４および図１５を参照しながら説明する。
【０００４】
図に示すように、発熱体収納函１０１を冷却する冷却装置１０２は内気温を外気に廃熱する熱交換手段としての熱交換器１０３と制御手段としてのマイコンを搭載した電子制御装置１０４により制御駆動される直流ファンモーター１０５に接続されている。
【０００５】
発熱体収納函１０１より供給される主電源としての直流電源１０６が冷却装置１０２に供給され、電子制御装置１０４に接続されるとともに直流ファンモーター１０５に接続されている。また、発熱体収納函１０１より供給される補助電源としての商用交流電源１０７も冷却装置１０２に供給され、ノイズフィルター１０８を通した後に交流電圧を直流電圧に変換する高周波スイッチングによるスイッチング電源１０９に接続され所望の出力電圧である直流電圧Ｖ１に変換され直流ファンモーター１０５に接続されている。
【０００６】
以上の構成により、通常供給されている主電源としての直流電源１０６が例えば発熱体収納函１０１の直流電源用ブレーカー（図示せず）が作動したことにより直流電源１０６が供給されなくなった場合でも商用交流電源１０７が供給されるので、前記スイッチング電源１０９で変換された所望の直流電圧Ｖ１により電子制御装置１０４の指令に基づき直流ファンモーター１０５を駆動することにより外気と内気を循環させ、内気温を外気に廃熱させることによって発熱体収納函１０１を冷却している。
【０００７】
また、この種の発熱体収納函冷却装置の電源安定化回路には、公称電圧が２００Ｖから２５０Ｖに至る広範囲な全世界２００Ｖ系商用電源に対応させるべくセレクタスイッチと商用電源トランスの１次側に複数のタップを設けたものもある。
【０００８】
以下、その発熱体収納函冷却装置の電源安定化回路について図１６を参照しながら説明する。
【０００９】
図に示すように、発熱体収納函１０１より冷却装置１０２に供給された補助電源としての商用交流電源１０７に各公称電圧（一般に２００Ｖ、２０８Ｖ、２２０Ｖ、２３０Ｖ、２４０Ｖ、２５０Ｖ）に切り替えるセレクタスイッチ１１０を接続して商用電源トランス１１１の１次側に設けた各公称電圧分の複数（一般には６個）のタップ（一般には６個）に接続され、商用電源トランス１１１の２次側出力が第１のダイオードブリッジ１１２や第１のコンデンサー１１３により整流平滑された直流電圧Ｖ１となり直流ファンモーター１０５に接続されている。
【００１０】
以上の構成により、冷却装置１０２の施工時に、セレクトスイッチ１０３を商用交流電源１０７の公称電圧に合わせるべく摘みを回すとセレクトスイッチ１０３の接点が手動により商用電源トランス１１１の商用交流電源１０７の定格電圧に適合したタップに接続され所望の直流電圧Ｖ１が作られ、通常供給されている主電源としての直流電源１０６が例えば発熱体収納函のブレーカー（図示せず）が働いたことにより直流電源１０６が供給されなくなった場合でも商用交流電源１０７が供給されるので、所望の直流電圧Ｖ１により電子制御装置１０４の指令に基づき直流ファンモーター１０５を駆動することにより外気と内気を循環させ、内気温を外気に廃熱させることによって発熱体収納函１０１を冷却している。
【非特許文献１】原田耕介監修「スイッチング電源ハンドブック」日刊工業新聞社、１９９３年１１月３０日
【発明の開示】
【発明が解決しようとする課題】
【００１１】
このような高周波スイッチングによるスイッチング電源を用いた従来の発熱体収納函冷却装置の電源安定化回路では、高周波スイッチングによる連続的な高周波雑音電波の放射という課題があり、通信機器を扱う発熱体収納函においては、放射される連続的な高周波雑音電波を通信に影響の無いレベルまで低減させる、例えば携帯電話通信周波数の８００ＭＨｚ帯ではＣＩＳＰＲ２２情報技術機器の妨害波限度値によると１０ｍ法で３７ｄＢμＶ／ｍを超えると機器に傷害が起こる恐れがあり少なくともこのレベルを大幅に下回る、ことが要求されている。
【００１２】
また、スイッチング電源の入力電圧範囲はマルチ電源対応とされるタイプでも９０Ｖ〜２６４Ｖが一般的という課題があり、公称電圧が２００Ｖから２５０Ｖに至る広範囲な全世界２００Ｖ系商用電源の電圧変動±１０％を加味した１８０Ｖから２７５Ｖを網羅できるよう要求されている。
【００１３】
また、商用電源トランスの１次側に複数のタップの切替えにセレクトスイッチを用いた従来の発熱体収納函冷却装置の電源安定化回路では、施工時に施工者が供給される商用交流電源の公称電圧に合わせてセレクトスイッチを操作する必要があり、施工時の作業工数を増大させてしまうという課題があり、施工時作業工数を削減することが要求されている。
【００１４】
また、施工時に施工者が操作するセレクトスイッチの設定を間違える課題があり、ヒューマンエラーの介在しないことが要求されている。
【００１５】
また、商用交流電源が送配電設備などのトラブルにより公称電圧±１０％を逸脱して供給された場合、セレクトスイッチによる固定のタップ接続では出力される直流電圧Ｖ１が所望の値を逸脱してしまう課題があり、商用交流電源が送配電設備などのトラブルにより公称電圧±１０％を逸脱しても所望の直流電圧を逸脱しないよう要求されている。
【００１６】
本発明は、このような従来の課題を解決するものであり、連続的な高周波雑音電波の放射をなくすることができ、また、施工時作業工数の削減と設定ミスを防ぐことができ、全世界的な広範囲の公称電圧に対応することができ、電源変動にも機敏に出力電圧を自動で調整することのできる発熱体収納函冷却装置の電源安定化回路を提供することを目的としている。
【課題を解決するための手段】
【００１７】
本発明の発熱体収納函冷却装置の電源安定化回路は、上記目的を達成するために、発熱体収納函を冷却する発熱体収納函冷却装置において、発熱体収納函より供給される交流電圧を所望の電圧範囲に変圧する変圧手段として商用電源トランスを設け、商用交流電圧を所望の出力電圧範囲に収める手段として前記商用電源トランスの巻線に備えた複数のタップを自動的に切替えるタップ切替手段を備えたことを特徴とするものである。
【００１８】
この手段により商用電源周波数で変圧する商用電源トランスを使用することで連続的な高周波雑音電波の放射がなく、また電源トランスに設けた複数のタップの切替を自動的に行うことで施工時作業工数を少なくし、施工時の操作間違えをなくし、変動する商用交流電源に対応した所望の出力電圧に自動調整できる発熱体収納函冷却装置の電源安定化回路が得られる。
【００１９】
また、他の手段は、商用電源トランスの巻線に備えた複数のタップを自動的に切替えるタップ切替手段に前記商用電源トランスの出力電圧を検出する出力電圧検出手段を備えたものである。
【００２０】
この手段により商用電源周波数で変圧する商用電源トランスを使用することで連続的な高周波雑音電波の放射がなく、また電源トランスに設けた複数のタップの切替を自動的に行うことで施工時作業工数を少なくし、施工時の操作間違えをなくし、変動する商用交流電源に対応した所望の出力電圧に自動調整できる発熱体収納函冷却装置の電源安定化回路が得られる。
【００２１】
また、他の手段は、出力電圧検出手段により、商用電源トランスの１次側巻線に設けた複数のタップに接続したタップ切替え手段の複数のスイッチ素子を動作させるものである。
【００２２】
この手段により商用電源周波数で変圧する商用電源トランスを使用することで連続的な高周波雑音電波の放射がなく、また電源トランスに設けた複数のタップの切替を自動的に行うことで施工時作業工数を少なくし、施工時の操作間違えをなくし、変動する商用交流電源に対応した所望の出力電圧に自動調整できる発熱体収納函冷却装置の電源安定化回路が得られる。
【００２３】
また、他の手段は、出力電圧検出手段により、商用電源トランスの２次側巻線に設けた複数のタップに接続したタップ切替え手段のスイッチ素子を動作させるものである。
【００２４】
この手段により商用電源周波数で変圧する商用電源トランスを使用することで連続的な高周波雑音電波の放射がなく、また電源トランスに設けた複数のタップの切替を自動的に行うことで施工時作業工数を少なくし、施工時の操作間違えをなくし、変動する商用交流電源に対応した所望の出力電圧に自動調整できる発熱体収納函冷却装置の電源安定化回路が得られる。
【００２５】
また、他の手段は、出力電圧検出手段により、商用電源トランスの１次側巻線および２次側巻線に設けた複数のタップに接続したタップ切替え手段のスイッチ素子を動作させるものである。
【００２６】
この手段により商用電源周波数で変圧する商用電源トランスを使用することで連続的な高周波雑音電波の放射がなく、また電源トランスに設けた複数のタップの切替を自動的に行うことで施工時作業工数を少なくし、施工時の操作間違えをなくし、変動する商用交流電源に対応した所望の出力電圧に自動調整できる発熱体収納函冷却装置の電源安定化回路が得られる。
【００２７】
また、他の手段は、商用電源トランスの巻線に備えた複数のタップを自動的に切替えるタップ切替手段に発熱体収納函より供給される公称電圧が２００Ｖから２５０Ｖに至る広範囲な商用交流電圧の値を検出する入力交流電圧検出手段を備えたものである。
【００２８】
この手段により商用電源周波数で変圧する商用電源トランスを使用することで連続的な高周波雑音電波の放射がなく、また電源トランスに設けた複数のタップの切替を自動的に行うことで施工時作業工数を少なくし、施工時の操作間違えをなくし、変動する商用交流電源に対応した所望の出力電圧に自動調整できる発熱体収納函冷却装置の電源安定化回路が得られる。
【００２９】
また、他の手段は、入力交流電圧検出手段により、商用電源トランスの１次側巻線に設けた複数のタップに接続したタップ切替え手段の複数のスイッチ素子を動作させるものである。
【００３０】
この手段により商用電源周波数で変圧する商用電源トランスを使用することで連続的な高周波雑音電波の放射がなく、また電源トランスに設けた複数のタップの切替を自動的に行うことで施工時作業工数を少なくし、施工時の操作間違えをなくし、変動する商用交流電源に対応した所望の出力電圧に自動調整できる発熱体収納函冷却装置の電源安定化回路が得られる。
【００３１】
また、他の手段は、入力交流電圧検出手段により、商用電源トランスの２次側巻線に設けた複数のタップに接続したタップ切替え手段のスイッチ素子を動作させるものである。
【００３２】
この手段により商用電源周波数で変圧する商用電源トランスを使用することで連続的な高周波雑音電波の放射がなく、また電源トランスに設けた複数のタップの切替を自動的に行うことで施工時作業工数を少なくし、施工時の操作間違えをなくし、変動する商用交流電源に対応した所望の出力電圧に自動調整できる発熱体収納函冷却装置の電源安定化回路が得られる。
【００３３】
また、他の手段は、入力交流電圧検出手段により、商用電源トランスの１次側巻線および２次側巻線に設けた複数のタップに接続したタップ切替え手段のスイッチ素子を動作させるものである。
【００３４】
この手段により商用電源周波数で変圧する商用電源トランスを使用することで連続的な高周波雑音電波の放射がなく、また電源トランスに設けた複数のタップの切替を自動的に行うことで施工時作業工数を少なくし、施工時の操作間違えをなくし、変動する商用交流電源に対応した所望の出力電圧に自動調整できる発熱体収納函冷却装置の電源安定化回路が得られる。
【００３５】
また、他の手段は、商用電源トランスの巻線に備えた複数のタップを自動的に切替えるタップ切替手段に発熱体収納函より供給される公称電圧が２００Ｖから２５０Ｖに至る広範囲な商用交流電圧の値を検出する入力交流電圧検出手段と前記商用電源トランスの出力電圧を検出する出力電圧検出手段を備えたものである。
【００３６】
この手段により商用電源周波数で変圧する商用電源トランスを使用することで連続的な高周波雑音電波の放射がなく、また電源トランスに設けた複数のタップの切替を自動的に行うことで施工時作業工数を少なくし、施工時の操作間違えをなくし、変動する商用交流電源に対応した所望の出力電圧に自動調整できる発熱体収納函冷却装置の電源安定化回路が得られる。
【００３７】
また、他の手段は、入力交流電圧検出手段および出力電圧検出手段により、商用電源トランスの１次側巻線に設けた複数のタップに接続したタップ切替え手段の複数のスイッチ素子を動作させるものである。
【００３８】
この手段により商用電源周波数で変圧する商用電源トランスを使用することで連続的な高周波雑音電波の放射がなく、また電源トランスに設けた複数のタップの切替を自動的に行うことで施工時作業工数を少なくし、施工時の操作間違えをなくし、変動する商用交流電源に対応した所望の出力電圧に自動調整できる発熱体収納函冷却装置の電源安定化回路が得られる。
【００３９】
また、他の手段は、入力交流電圧検出手段および出力電圧検出手段により、商用電源トランスの２次側巻線に設けた複数のタップに接続したタップ切替え手段の複数のスイッチ素子を動作させるものである。
【００４０】
この手段により商用電源周波数で変圧する商用電源トランスを使用することで連続的な高周波雑音電波の放射がなく、また電源トランスに設けた複数のタップの切替を自動的に行うことで施工時作業工数を少なくし、施工時の操作間違えをなくし、変動する商用交流電源に対応した所望の出力電圧に自動調整できる発熱体収納函冷却装置の電源安定化回路が得られる。
【００４１】
また、他の手段は、入力交流電圧検出手段および出力電圧検出手段により、商用電源トランスの１次側巻線および２次側巻線に設けた複数のタップに接続したタップ切替え手段のスイッチ素子を動作させるものである。
【００４２】
この手段により商用電源周波数で変圧する商用電源トランスを使用することで連続的な高周波雑音電波の放射がなく、また電源トランスに設けた複数のタップの切替を自動的に行うことで施工時作業工数を少なくし、施工時の操作間違えをなくし、変動する商用交流電源に対応した所望の出力電圧に自動調整できる発熱体収納函冷却装置の電源安定化回路が得られる。
【発明の効果】
【００４３】
本発明によれば、連続する高周波雑音電波の放射のない、施工時に作業工数が少なく操作間違いのない、変動する商用交流電源に対応した所望の出力電圧に自動調整できる発熱体収納函冷却装置の電源安定化回路を提供できる。
【発明を実施するための最良の形態】
【００４４】
本発明の請求項１記載の発明は、発熱体収納函を冷却する発熱体収納函冷却装置において、発熱体収納函より供給される交流電圧を所望の電圧範囲に変圧する変圧手段として商用電源トランスを設け、商用交流電圧を所望の出力電圧範囲に収める手段として前記商用電源トランスの巻線に備えた複数のタップを自動的に切替えるタップ切替手段を備えたことを特徴とするものであり、商用電源周波数で変圧する商用電源トランスを使用することで連続的な高周波雑音電波の放射がなく、また電源トランスに設けた複数のタップの切替を自動的に行うことで施工時作業工数を少なくし、施工時の操作間違えをなくし、変動する商用交流電源に対応した所望の出力電圧に自動調整できるという作用を有する。
【００４５】
本発明の請求項２記載の発明は、商用電源トランスの巻線に備えた複数のタップを自動的に切替えるタップ切替手段に前記商用電源トランスの出力電圧を検出する出力電圧検出手段を備えたものであり、商用電源周波数で変圧する商用電源トランスを使用することで連続的な高周波雑音電波の放射がなく、また電源トランスに設けた複数のタップの切替を自動的に行うことで施工時作業工数を少なくし、施工時の操作間違えをなくし、変動する商用交流電源に対応した所望の出力電圧に自動調整できるという作用を有する。
【００４６】
本発明の請求項３記載の発明は、出力電圧検出手段により、商用電源トランスの１次側巻線に設けた複数のタップに接続したタップ切替え手段の複数のスイッチ素子を動作させるものであり、商用電源周波数で変圧する商用電源トランスを使用することで連続的な高周波雑音電波の放射がなく、また電源トランスに設けた複数のタップの切替を自動的に行うことで施工時作業工数を少なくし、施工時の操作間違えをなくし、変動する商用交流電源に対応した所望の出力電圧に自動調整できるという作用を有する。
【００４７】
本発明の請求項４記載の発明は、出力電圧検出手段により、商用電源トランスの２次側巻線に設けた複数のタップに接続したタップ切替え手段のスイッチ素子を動作させるものであり、商用電源周波数で変圧する商用電源トランスを使用することで連続的な高周波雑音電波の放射がなく、また電源トランスに設けた複数のタップの切替を自動的に行うことで施工時作業工数を少なくし、施工時の操作間違えをなくし、変動する商用交流電源に対応した所望の出力電圧に自動調整できるという作用を有する。
【００４８】
本発明の請求項５記載の発明は、出力電圧検出手段により、商用電源トランスの１次側巻線および２次側巻線に設けた複数のタップに接続したタップ切替え手段のスイッチ素子を動作させるものであり、商用電源周波数で変圧する商用電源トランスを使用することで連続的な高周波雑音電波の放射がなく、また電源トランスに設けた複数のタップの切替を自動的に行うことで施工時作業工数を少なくし、施工時の操作間違えをなくし、変動する商用交流電源に対応した所望の出力電圧に自動調整できるという作用を有する。
【００４９】
本発明の請求項６記載の発明は、商用電源トランスの巻線に備えた複数のタップを自動的に切替えるタップ切替手段に発熱体収納函より供給される公称電圧が２００Ｖから２５０Ｖに至る広範囲な商用交流電圧の値を検出する入力交流電圧検出手段を備えたことを特徴とするものであり、商用電源周波数で変圧する商用電源トランスを使用することで連続的な高周波雑音電波の放射がなく、また電源トランスに設けた複数のタップの切替を自動的に行うことで施工時作業工数を少なくし、施工時の操作間違えをなくし、変動する商用交流電源に対応した所望の出力電圧に自動調整できるという作用を有する。
【００５０】
本発明の請求項７記載の発明は、入力交流電圧検出手段により、商用電源トランスの１次側巻線に設けた複数のタップに接続したタップ切替え手段の複数のスイッチ素子を動作させるものであり、商用電源周波数で変圧する商用電源トランスを使用することで連続的な高周波雑音電波の放射がなく、また電源トランスに設けた複数のタップの切替を自動的に行うことで施工時作業工数を少なくし、施工時の操作間違えをなくし、変動する商用交流電源に対応した所望の出力電圧に自動調整できるという作用を有する。
【００５１】
本発明の請求項８記載の発明は、入力交流電圧検出手段により、商用電源トランスの２次側巻線に設けた複数のタップに接続したタップ切替え手段のスイッチ素子を動作させるものであり、商用電源周波数で変圧する商用電源トランスを使用することで連続的な高周波雑音電波の放射がなく、また電源トランスに設けた複数のタップの切替を自動的に行うことで施工時作業工数を少なくし、施工時の操作間違えをなくし、変動する商用交流電源に対応した所望の出力電圧に自動調整できるという作用を有する。
【００５２】
本発明の請求項９記載の発明は、入力交流電圧検出手段により、商用電源トランスの１次側巻線および２次側巻線に設けた複数のタップに接続したタップ切替え手段のスイッチ素子を動作させるものであり、商用電源周波数で変圧する商用電源トランスを使用することで連続的な高周波雑音電波の放射がなく、また電源トランスに設けた複数のタップの切替を自動的に行うことで施工時作業工数を少なくし、施工時の操作間違えをなくし、変動する商用交流電源に対応した所望の出力電圧に自動調整できるという作用を有する。
【００５３】
本発明の請求項１０記載の発明は、商用電源トランスの巻線に備えた複数のタップを自動的に切替えるタップ切替手段に発熱体収納函より供給される公称電圧が２００Ｖから２５０Ｖに至る広範囲な商用交流電圧の値を検出する入力交流電圧検出手段と前記商用電源トランスの出力電圧を検出する出力電圧検出手段を備えたことを特徴とするものであり、商用電源周波数で変圧する商用電源トランスを使用することで連続的な高周波雑音電波の放射がなく、また電源トランスに設けた複数のタップの切替を自動的に行うことで施工時作業工数を少なくし、施工時の操作間違えをなくし、変動する商用交流電源に対応した所望の出力電圧に自動調整できるという作用を有する。
【００５４】
本発明の請求項１１記載の発明は、入力交流電圧検出手段および出力電圧検出手段により、商用電源トランスの１次側巻線に設けた複数のタップに接続したタップ切替え手段の複数のスイッチ素子を動作させるものであり、商用電源周波数で変圧する商用電源トランスを使用することで連続的な高周波雑音電波の放射がなく、また電源トランスに設けた複数のタップの切替を自動的に行うことで施工時作業工数を少なくし、施工時の操作間違えをなくし、変動する商用交流電源に対応した所望の出力電圧に自動調整できるという作用を有する。
【００５５】
本発明の請求項１２記載の発明は、入力交流電圧検出手段および出力電圧検出手段により、商用電源トランスの２次側巻線に設けた複数のタップに接続したタップ切替え手段の複数のスイッチ素子を動作させるものであり、商用電源周波数で変圧する商用電源トランスを使用することで連続的な高周波雑音電波の放射がなく、また電源トランスに設けた複数のタップの切替を自動的に行うことで施工時作業工数を少なくし、施工時の操作間違えをなくし、変動する商用交流電源に対応した所望の出力電圧に自動調整できるという作用を有する。
【００５６】
本発明の請求項１３記載の発明は、入力交流電圧検出手段および出力電圧検出手段により、商用電源トランスの１次側巻線および２次側巻線に設けた複数のタップに接続したタップ切替え手段のスイッチ素子を動作させるものであり、商用電源周波数で変圧する商用電源トランスを使用することで連続的な高周波雑音電波の放射がなく、また電源トランスに設けた複数のタップの切替を自動的に行うことで施工時作業工数を少なくし、施工時の操作間違えをなくし、変動する商用交流電源に対応した所望の出力電圧に自動調整できるという作用を有する。
【００５７】
以下、本発明の実施形態について図面を参照しながら説明する。
【００５８】
（実施の形態１）
従来例と同一部分に付いては同一番号を付し詳細な説明を省略する。
【００５９】
図１および図２に示すように、発熱体収納函１０１を冷却する冷却装置１０２には主電源である直流電源１０６および補助電源である商用交流電源１０７が供給される。供給された直流電源１０６は冷却装置１０２に備えた循環送風手段としての直流ファンモーター１０５および冷却装置制御手段としてのマイコン１を搭載した電子制御装置１０４に接続される。また、供給された商用交流電源１０７の一相は商用電源トランス１１１の１次側巻線に設けた複数のタップを自動的に切り替えるタップ切替手段としてのスイッチ素子として１Ｃ接点型である第１のリレー２ａのコモン端子に接続され、この第１のリレー２ａのノーマル閉端子が前記商用電源トランス１１１の１次側巻線に設けた複数のタップの１つに接続され、前記第１のリレー２ａのノーマル開端子はタップ切替手段としてのスイッチ素子として１Ｃ接点型である第２のリレー２ｂのコモン端子に接続され、この第２のリレー２ｂのノーマル閉端子が前記商用電源トランス１１１の１次側巻線に設けた複数の他のタップの１つに接続され、前記第２のリレー２ｂのノーマル開端子は商用電源トランス１１１の１次側巻線に設けた複数のタップの残りの１つに接続され、商用交流電源１０７の他相は商用電源トランス１１１の１次巻線のコモン端子に接続される。前記商用電源トランス１１１の２次側巻線が出力電圧を全波整流するための第１のダイオードブリッジ１１２に接続され第１のコンデンサー１１３で平滑された直流電圧Ｖ１となり、前記直流ファンモーター１０５および前記電子制御装置１０４に接続される。前記電子制御装置１０４には前記商用電源トランス１１１の出力電圧検出手段としての第１の抵抗器３と第２の抵抗器４と前記マイコン１が備えてある。
【００６０】
上記構成において、商用交流電源１０７により商用電源トランス１１１に印加された交流電圧により直流電圧Ｖ１が発生し、第１の抵抗器３と第２の抵抗器４により分圧されてマイコン１のアナログ入力端子ＡＩＮに印加され、ＡＩＮの電圧が第１の閾値（例えば、Ｖ１の電圧では２９Ｖに相当）を上回ったら直ちに第１のリレー２ａをオンさせるようにリレー駆動回路５に指令し、第１のリレー２ａの接点をノーマル開側に切替え商用電源トランス１１１の１次側巻線の巻数が多くなるタップに回路が切り替わり商用電源トランス１１１の２次側の電圧が巻数比により出力が下がる。その後、商用交流電源１０７の電圧値の変化などで直流電圧Ｖ１が変化しＡＩＮの電圧が前記第１の閾値を上回ったら、直ちに第２のリレー２ｂをオンさせるようにリレー駆動回路５に指令し、第２のリレー２ｂの接点をノーマル開側に切替え商用電源トランス１１１の１次側巻線の巻数が更に多くなるタップに回路が切り替わり商用電源トランス１１１の２次側の電圧が巻数比により出力が下がる。その後、商用交流電源１０７の電圧値の変化などで直流電圧Ｖ１が変化しＡＩＮの電圧が第２の閾値（例えば、Ｖ１の電圧では２０Ｖに相当）を下回ったら、直ちに第２のリレー２ｂをオフさせるようにリレー駆動回路５に指令し、第２のリレー２ｂの接点をノーマル閉側に切替え商用電源トランス１１１の１次側巻線の巻数が低くなるタップに回路が切り替わり商用電源トランス１１１の２次側の電圧が巻数比により出力が上がる。マイコン１は、直流電圧Ｖ１の分圧電圧を監視し、第１の閾値を超えた場合にこの第１の閾値を下回るまで第１のリレー２ａおよび第２のリレー２ｂを順次オンするように駆動させ、第２の閾値を下回った場合は、この第２の閾値を超えるまで第２のリレー２ｂおよび第１のリレーを順次オフするように駆動させる内容がプログラムされているものである。
【００６１】
このように商用電源周波数で変圧する商用電源トランス１１１を用いることで連続的な高周波雑音電波の放射がなく、また商用交流電源１０７の入力電圧値の変化に応じて直流電圧Ｖ１が変化することになるが、第１のリレーおよび第２のリレーを直流電圧Ｖ１の値に応じて動作されることで商用電源トランス１１１に設けた複数のタップの切替を自動的に行うので決められた所望の出力電圧である直流電圧Ｖ１は決められた範囲（ここでは２０〜２９Ｖ）に収めることができる。
【００６２】
なお、本実施例では説明の便宜上、商用電源トランス１１１のタップを３個として説明したが、３個以上としても良いことは無論である。また、以降の実施の形態の説明全てに共通する。
【００６３】
（実施の形態２）
従来例、実施の形態１と同一部分に付いては同一番号を付し詳細な説明を省略する。
【００６４】
図３に示すように、供給された直流電源１０６は冷却装置１０２に備えた循環送風手段としての直流ファンモーター１０５および冷却装置制御手段としてのマイコン１を搭載した冷却装置電子制御装置１０４に接続され、また、供給された商用交流電源１０７は商用電源トランス１１１の１次巻線間に接続され、前記商用電源トランス１１１の２次巻線に設けた複数のタップを自動的に切り替えるタップ切替手段としてのスイッチ素子として１Ｃ接点型である第１のリレー２ａのノーマル閉端子に前記タップの１つが接続され、この第１のリレー２ａのノーマル開端子が商用電源トランス１１１の２次側巻線に設けた複数のタップを切り替える手段としての１Ｃ接点型である第２のリレー２ｂのコモン端子に接続され、この第２のリレー２ｂのノーマル閉端子が前記商用電源トランス１１１の２次側巻線に設けた複数の他のタップの１つに接続され、前記第２のリレー２ｂのノーマル開端子は商用電源トランス１１１の２次側巻線に設けた複数のタップの残りの１つに接続される。前記第１のリレー２ａのコモン端子と商用電源トランス１１１の２次巻線のコモン端子が第１のダイオードブリッジ１１２に接続され全波整流され第１のコンデンサー１１３で平滑された直流電圧Ｖ１となり、前記直流ファンモーター１０５および冷却装置電子制御装置１０４に接続される。
【００６５】
上記構成において、商用交流電源１０７により商用電源トランス１１１に印加された交流電圧により直流電圧Ｖ１が発生し、直流電圧Ｖ１が第１の抵抗器３と第２の抵抗器４により分圧されてマイコン１のアナログ入力端子ＡＩＮに印加され、ＡＩＮの電圧が第１の閾値（例えば、Ｖ１の電圧では２９Ｖに相当）を上回ったら直ちに第１のリレー２ａをオンさせるようにリレー駆動回路５に指令し、第１のリレー２ａの接点をノーマル開側に切替え商用電源トランス１１１の１次側巻線の巻数が多くなるタップに回路が切り替わり商用電源トランス１１１の２次側の電圧が巻数比により出力が下がる。その後、商用交流電源１０７の電圧値の変化などで直流電圧Ｖ１が変化しＡＩＮの電圧が前記第１の閾値を上回ったら、直ちに第２のリレー２ｂをオンさせるようにリレー駆動回路５に指令し、第２のリレー２ｂの接点をノーマル開側に切替え商用電源トランス１１１の１次側巻線の巻数が更に多くなるタップに回路が切り替わり商用電源トランス１１１の２次側の電圧が巻数比により出力が下がる。その後、商用交流電源１０７の電圧値の変化などで直流電圧Ｖ１が変化しＡＩＮの電圧が第２の閾値（例えば、Ｖ１の電圧では２０Ｖに相当）を下回ったら、直ちに第２のリレー２ｂをオフさせるようにリレー駆動回路５に指令し、第２のリレー２ｂの接点をノーマル閉側に切替え商用電源トランス１１１の１次側巻線の巻数が低くなるタップに回路が切り替わり商用電源トランス１１１の２次側の電圧が巻数比により出力が上がる。
【００６６】
このように商用電源周波数で変圧する商用電源トランス１１１を用いることで連続的な高周波雑音電波の放射がなく、また商用交流電源１０７の入力電圧値の変化に応じて直流電圧Ｖ１が変化することになるが、第１のリレーおよび第２のリレーを直流電圧Ｖ１の値に応じて動作されることで商用電源トランス１１１に設けた複数のタップの切替を自動的に行うので決められた所望の出力電圧である直流電圧Ｖ１は決められた範囲（ここでは２０〜２９Ｖ）に収めることができる。
【００６７】
（実施の形態３）
従来例、実施の形態１と同一部分に付いては同一番号を付し詳細な説明を省略する。
【００６８】
図４に示すように、供給された商用交流電源１０７の一相は商用電源トランス１１１の１次側巻線に設けた複数のタップを自動的に切り替えるタップ切替手段としてのスイッチ素子として１Ｃ接点型である第１のリレー２ａのコモン端子に接続され、この第１のリレー２ａのノーマル閉端子が前記商用電源トランス１１１の１次側巻線に設けた複数のタップの１つに接続され、前記第１のリレー２ａのノーマル開端子は商用電源トランス１１１の１次側巻線に設けた複数のタップの残りの１つに接続され、商用交流電源１０７の他相は商用電源トランス１１１の１次巻線のコモン端子に接続される。前記商用電源トランス１１１の２次巻線に設けた複数のタップを自動的に切り替えるタップ切替手段としてのスイッチ素子として１Ｃ接点型である第２のリレー２ｂのノーマル閉端子に前記タップの１つが接続され、この第２のリレー２ｂのノーマル開端子が商用電源トランス１１１の２次側巻線に設けた複数のタップの残りの１つに接続される。前記第２のリレー２ｂのコモン端子と商用電源トランス１１１の２次巻線のコモン端子が第１のダイオードブリッジ１１２に接続され全波整流され第１のコンデンサー１１３で平滑された直流電圧Ｖ１となり、前記直流ファンモーター１０５および前記電子制御装置１０４に接続される。
【００６９】
上記構成において、商用交流電源１０７により商用電源トランス１１１に印加された交流電圧により直流電圧Ｖ１が発生し、直流電圧Ｖ１が第１の抵抗器３と第２の抵抗器４により分圧されてマイコン１のアナログ入力端子ＡＩＮに印加され、ＡＩＮの電圧が第１の閾値（例えば、Ｖ１の電圧では２９Ｖに相当）を上回ったら直ちに第１のリレー２ａをオンさせるようにリレー駆動回路５に指令し、第１のリレー２ａの接点をノーマル開側に切替え商用電源トランス１１１の１次側巻線の巻数が多くなるタップに回路が切り替わり商用電源トランス１１１の２次側の電圧が巻数比により出力が下がる。その後、商用交流電源１０７の電圧値の変化などで直流電圧Ｖ１が変化しＡＩＮの電圧が前記第１の閾値を上回ったら、直ちに第２のリレー２ｂをオンさせるようにリレー駆動回路５に指令し、第２のリレー２ｂの接点をノーマル開側に切替え商用電源トランス１１１の２次側巻線の巻数が多くなるタップに回路が切り替わり商用電源トランス１１１の２次側の電圧が巻数比により出力が下がる。その後、商用交流電源１０７の電圧値の変化などで直流電圧Ｖ１が変化しＡＩＮの電圧が第２の閾値（例えば、Ｖ１の電圧では２０Ｖに相当）を下回ったら、直ちに第２のリレー２ｂをオフさせるようにリレー駆動回路５に指令し、第２のリレー２ｂの接点をノーマル閉側に切替え商用電源トランス１１１の１次側巻線の巻数が低くなるタップに回路が切り替わり商用電源トランス１１１の２次側の電圧が巻数比により出力が上がる。
【００７０】
このように商用電源周波数で変圧する商用電源トランス１１１を用いることで連続的な高周波雑音電波の放射がなく、また商用交流電源１０７の入力電圧値の変化に応じて直流電圧Ｖ１が変化することになるが、第１のリレーおよび第２のリレーを直流電圧Ｖ１の値に応じて動作されることで商用電源トランス１１１に設けた複数のタップの切替を自動的に行うので決められた所望の出力電圧である直流電圧Ｖ１は決められた範囲（ここでは２０〜２９Ｖ）に収めることができる。
【００７１】
（実施の形態４）
従来例、実施の形態１と同一部分に付いては同一番号を付し詳細な説明を省略する。
【００７２】
図５および図６に示すように、供給された商用交流電源１０７の一相は商用電源トランス１１１の１次側巻線に設けた複数のタップを自動的に切り替えるタップ切替手段としてのスイッチ素子として１Ｃ接点型である第１のリレー２ａのコモン端子に接続され、この第１のリレー２ａのノーマル閉端子が前記商用電源トランス１１１の１次側巻線に設けた複数のタップの１つに接続され、前記第１のリレー２ａのノーマル開端子は商用電源トランス１１１の１次側巻線に設けた複数のタップを切り替える手段としての１Ｃ接点型である第２のリレー２ｂのコモン端子に接続され、この第２のリレー２ｂのノーマル閉端子が前記商用電源トランス１１１の１次側巻線に設けた複数の他のタップの１つに接続され、前記第２のリレー２ｂのノーマル開端子は商用電源トランス１１１の１次側巻線に設けた複数のタップの残りの１つに接続され、商用交流電源１０７の他相は商用電源トランス１１１の１次巻線のコモン端子に接続される。前記商用電源トランス１１１の２次側巻線が第１のダイオードブリッジ１１２に接続され全波整流され第１のコンデンサー１１３で平滑された直流電圧Ｖ１となり、前記直流ファンモーター１０５および前記電子制御装置１０４に接続される。また、公称電圧が２００Ｖから２５０Ｖに至る広範囲な商用交流電圧の値を検出する入力交流電圧検出手段としての入力電圧検出装置６には電圧トランス７を商用交流電源１０７に接続し、前記電圧トランス７の２次側出力電圧を第２のダイオードブリッジ８と第２のコンデンサー９で平滑する。この平滑した直流電圧Ｖ２が電子制御装置１０４に備えたマイコン１のアナログ入力端子ＡＩＮに印加される。
【００７３】
上記構成において、マイコン１のＡＩＮの電圧が第１の閾値（例えば、商用交流電源１０７の入力電圧値が２２０Ｖに相当する値）を上回ったら直ちに第１のリレー２ａをオンさせるようにリレー駆動回路５に指令し、第１のリレー２ａの接点をノーマル開側に切替え商用電源トランス１１１の１次側巻線の巻数が多くなるタップに回路が切り替わり商用電源トランス１１１の２次側の電圧が巻数比により出力が下がる。その後、商用交流電源１０７の電圧値の変化などで直流電圧Ｖ１が変化しＡＩＮの電圧が前記第１の閾値を上回ったら、直ちに第２のリレー２ｂをオンさせるようにリレー駆動回路５に指令し、第２のリレー２ｂの接点をノーマル開側に切替え商用電源トランス１１１の１次側巻線の巻数が更に多くなるタップに回路が切り替わり商用電源トランス１１１の２次側の電圧が巻数比により出力が下がる。その後、商用交流電源１０７の電圧値の変化などで直流電圧Ｖ２が変化しＡＩＮの電圧が第２の閾値（例えば、商用交流電源１０７の入力電圧値ではＡＣ２４０Ｖに相当）を下回ったら、直ちに第２のリレー２ｂをオフさせるようにリレー駆動回路５に指令し、第２のリレー２ｂの接点をノーマル閉側に切替え商用電源トランス１１１の１次側巻線の巻数が低くなるタップに回路が切り替わり商用電源トランス１１１の２次側の電圧が巻数比により出力が上がる。
【００７４】
このように商用電源周波数で変圧する商用電源トランス１１１を用いることで連続的な高周波雑音電波の放射がなく、また商用交流電源１０７の入力電圧値の変化に応じて直流電圧Ｖ１が変化することになるが、商用電源トランス１１１の１次巻線と２次巻線の巻数比を所望の出力電圧に設定しておくことで第１のリレー２ａおよび第２のリレー２ｂを直流電圧Ｖ２の値に応じて動作されることで商用電源トランス１１１に設けた複数のタップの切替を自動的に行うので決められた所望の出力電圧である直流電圧Ｖ１は決められた範囲（ここでは２０〜２９Ｖ）に収めることができる。
【００７５】
（実施の形態５）
従来例、実施の形態１、４と同一部分に付いては同一番号を付し詳細な説明を省略する。
【００７６】
図７に示すように、供給された直流電源１０６は冷却装置１０２に備えた循環送風手段としての直流ファンモーター１０５および冷却装置制御手段としてのマイコン１を搭載した冷却装置電子制御装置１０４に接続され、また、供給された商用交流電源１０７は商用電源トランス１１１の１次巻線間に接続され、前記商用電源トランス１１１の２次巻線に設けた複数のタップを自動的に切り替えるタップ切替手段としてのスイッチ素子として１Ｃ接点型である第１のリレー２ａのノーマル閉端子に前記タップの１つが接続され、この第１のリレー２ａのノーマル開端子が商用電源トランス１１１の２次側巻線に設けた複数のタップを切り替える手段としての１Ｃ接点型である第２のリレー２ｂのコモン端子に接続され、この第２のリレー２ｂのノーマル閉端子が前記商用電源トランス１１１の２次側巻線に設けた複数の他のタップの１つに接続され、前記第２のリレー２ｂのノーマル開端子は商用電源トランス１１１の２次側巻線に設けた複数のタップの残りの１つに接続される。前記第１のリレー２ａのコモン端子と商用電源トランス１１１の２次巻線のコモン端子が第１のダイオードブリッジ１１２に接続され全波整流され第１のコンデンサー１１３で平滑された直流電圧Ｖ１となり、前記直流ファンモーター１０５および冷却装置電子制御装置１０４に接続される。また、公称電圧が２００Ｖから２５０Ｖに至る広範囲な商用交流電圧の値を検出する入力交流電圧検出手段としての入力電圧検出装置６には電圧トランス７を商用交流電源１０７に接続し、電圧トランス７の２次側出力電圧を第２のダイオードブリッジ８と第２のコンデンサー９で平滑する。この平滑した直流電圧Ｖ２が電子制御装置１０４に備えたマイコン１のアナログ入力端子ＡＩＮに印加される。
【００７７】
上記構成において、マイコン１のＡＩＮの電圧が第１の閾値（例えば、商用交流電源１０７の入力電圧値が２２０Ｖに相当する値）を上回ったら直ちに第１のリレー２ａをオンさせるようにリレー駆動回路５に指令し、第１のリレー２ａの接点をノーマル開側に切替え商用電源トランス１１１の１次側巻線の巻数が多くなるタップに回路が切り替わり商用電源トランス１１１の２次側の電圧が巻数比により出力が下がる。その後、商用交流電源１０７の電圧値の変化などで直流電圧Ｖ１が変化しＡＩＮの電圧が前記第１の閾値を上回ったら、直ちに第２のリレー２ｂをオンさせるようにリレー駆動回路５に指令し、第２のリレー２ｂの接点をノーマル開側に切替え商用電源トランス１１１の１次側巻線の巻数が更に多くなるタップに回路が切り替わり商用電源トランス１１１の２次側の電圧が巻数比により出力が下がる。その後、商用交流電源１０７の電圧値の変化などで直流電圧Ｖ２が変化しＡＩＮの電圧が第２の閾値（例えば、商用交流電源１０７の入力電圧値ではＡＣ２４０Ｖに相当）を下回ったら、直ちに第２のリレー２ｂをオフさせるようにリレー駆動回路５に指令し、第２のリレー２ｂの接点をノーマル閉側に切替え商用電源トランス１１１の１次側巻線の巻数が低くなるタップに回路が切り替わり商用電源トランス１１１の２次側の電圧が巻数比により出力が上がる。
【００７８】
このように商用電源周波数で変圧する商用電源トランス１１１を用いることで連続的な高周波雑音電波の放射がなく、また商用交流電源１０７の入力電圧値の変化に応じて直流電圧Ｖ１が変化することになるが、商用電源トランス１１１の１次巻線と２次巻線の巻数比を所望の出力電圧に設定しておくことで第１のリレー２ａおよび第２のリレー２ｂを直流電圧Ｖ２の値に応じて動作されることで商用電源トランス１１１に設けた複数のタップの切替を自動的に行うので決められた所望の出力電圧である直流電圧Ｖ１は決められた範囲（ここでは２０〜２９Ｖ）に収めることができる。
【００７９】
（実施の形態６）
従来例、実施の形態１、４と同一部分に付いては同一番号を付し詳細な説明を省略する。
【００８０】
図８に示すように、供給された商用交流電源１０７の一相は商用電源トランス１１１の１次側巻線に設けた複数のタップを自動的に切り替えるタップ切替手段としてのスイッチ素子として１Ｃ接点型である第１のリレー２ａのコモン端子に接続され、この第１のリレー２ａのノーマル閉端子が前記商用電源トランス１１１の１次側巻線に設けた複数のタップの１つに接続され、前記第１のリレー２ａのノーマル開端子は商用電源トランス１１１の１次側巻線に設けた複数のタップの残りの１つに接続され、商用交流電源１０７の他相は商用電源トランス１１１の１次巻線のコモン端子に接続される。前記商用電源トランス１１１の２次巻線に設けた複数のタップを自動的に切り替えるタップ切替手段としてのスイッチ素子として１Ｃ接点型である第２のリレー２ｂのノーマル閉端子に前記タップの１つが接続され、この第２のリレー２ｂのノーマル開端子が商用電源トランス１１１の２次側巻線に設けた複数のタップの残りの１つに接続される。前記第２のリレー２ｂのコモン端子と商用電源トランス１１１の２次巻線のコモン端子が第１のダイオードブリッジ１１２に接続され全波整流され第１のコンデンサー１１３で平滑された直流電圧Ｖ１となり、前記直流ファンモーター１０５および前記電子制御装置１０４に接続される。また、公称電圧が２００Ｖから２５０Ｖに至る広範囲な商用交流電圧の値を検出する入力交流電圧検出手段としての入力電圧検出装置６には電圧トランス７を商用交流電源１０７に接続し、電圧トランス７の２次側出力電圧を第２のダイオードブリッジ８と第２のコンデンサー９で平滑する。この平滑した直流電圧Ｖ２が電子制御装置１０４に備えたマイコン１のアナログ入力端子ＡＩＮに印加される。
【００８１】
上記構成において、マイコン１のＡＩＮの電圧が第１の閾値（例えば、商用交流電源１０７の入力電圧値が２２０Ｖに相当する値）を上回ったら直ちに第１のリレー２ａをオンさせるようにリレー駆動回路５に指令し、第１のリレー２ａの接点をノーマル開側に切替え商用電源トランス１１１の１次側巻線の巻数が多くなるタップに回路が切り替わり商用電源トランス１１１の２次側の電圧が巻数比により出力が下がる。その後、商用交流電源１０７の電圧値の変化などで直流電圧Ｖ１が変化しＡＩＮの電圧が前記第１の閾値を上回ったら、直ちに第２のリレー２ｂをオンさせるようにリレー駆動回路５に指令し、第２のリレー２ｂの接点をノーマル開側に切替え商用電源トランス１１１の１次側巻線の巻数が更に多くなるタップに回路が切り替わり商用電源トランス１１１の２次側の電圧が巻数比により出力が下がる。その後、商用交流電源１０７の電圧値の変化などで直流電圧Ｖ２が変化しＡＩＮの電圧が第２の閾値（例えば、商用交流電源１０７の入力電圧値ではＡＣ２４０Ｖに相当）を下回ったら、直ちに第２のリレー２ｂをオフさせるようにリレー駆動回路５に指令し、第２のリレー２ｂの接点をノーマル閉側に切替え商用電源トランス１１１の１次側巻線の巻数が低くなるタップに回路が切り替わり商用電源トランス１１１の２次側の電圧が巻数比により出力が上がる。
【００８２】
このように商用電源周波数で変圧する商用電源トランス１１１を用いることで連続的な高周波雑音電波の放射がなく、また商用交流電源１０７の入力電圧値の変化に応じて直流電圧Ｖ１が変化することになるが、商用電源トランス１１１の１次巻線と２次巻線の巻数比を所望の出力電圧に設定しておくことで第１のリレー２ａおよび第２のリレー２ｂを直流電圧Ｖ２の値に応じて動作されることで商用電源トランス１１１に設けた複数のタップの切替を自動的に行うので決められた所望の出力電圧である直流電圧Ｖ１は決められた範囲（ここでは２０〜２９Ｖ）に収めることができる。
【００８３】
（実施の形態７）
従来例、実施の形態１、４と同一部分に付いては同一番号を付し詳細な説明を省略する。
【００８４】
図９および図１０に示すように、発熱体収納函１０１を冷却する冷却装置１０２には主電源である直流電源１０６および補助電源である商用交流電源１０７が供給される。供給された直流電源１０６は冷却装置１０２に備えた循環送風手段としての直流ファンモーター１０５および冷却装置制御手段としてのマイコン１を搭載した電子制御装置１０４に接続される。また、供給された商用交流電源１０７の一相は商用電源トランス１１１の１次側巻線に設けた複数のタップを自動的に切り替えるタップ切替手段としてのスイッチ素子として１Ｃ接点型である第１のリレー２ａのコモン端子に接続され、この第１のリレー２ａのノーマル閉端子が前記商用電源トランス１１１の１次側巻線に設けた複数のタップの１つに接続され、前記第１のリレー２ａのノーマル開端子はタップ切替手段としてのスイッチ素子として１Ｃ接点型である第２のリレー２ｂのコモン端子に接続され、この第２のリレー２ｂのノーマル閉端子が前記商用電源トランス１１１の１次側巻線に設けた複数の他のタップの１つに接続され、前記第２のリレー２ｂのノーマル開端子は商用電源トランス１１１の１次側巻線に設けた複数のタップの残りの１つに接続され、商用交流電源１０７の他相は商用電源トランス１１１の１次巻線のコモン端子に接続される。前記商用電源トランス１１１の２次側巻線が出力電圧を全波整流するための第１のダイオードブリッジ１１２に接続され第１のコンデンサー１１３で平滑された直流電圧Ｖ１となり、前記直流ファンモーター１０５および前記電子制御装置１０４に接続される。前記電子制御装置１０４には前記商用電源トランス１１１の出力電圧検出手段としての第１の抵抗器３と第２の抵抗器４と前記マイコン１が備えてある。また、公称電圧が２００Ｖから２５０Ｖに至る広範囲な商用交流電圧の値を検出する入力交流電圧検出手段としての入力電圧検出装置６には電圧トランス７を商用交流電源１０７に接続し、電圧トランス７の２次側出力電圧を第２のダイオードブリッジ８と第２のコンデンサー９で平滑する。この平滑した直流電圧Ｖ２が前記電子制御装置１０４に備えた前記マイコン１のアナログ入力端子ＡＩＮ２に印加される。
【００８５】
上記構成において、マイコン１のＡＩＮ１およびＡＩＮ２には直流電圧Ｖ１の分圧電圧および直流電圧Ｖ２が印加される。まず、マイコン１のＡＩＮ２の電圧が第１の閾値（例えば、商用交流電源１０７の入力電圧値が２２０Ｖに相当する値）を上回ったら直ちに第１のリレー２ａをオンさせるようにリレー駆動回路５に指令し、第１のリレー２ａの接点をノーマル開側に切替え商用電源トランス１１１の１次側巻線の巻数が多くなるタップに回路が切り替わり商用電源トランス１１１の２次側の電圧が巻数比により出力が下がる。その後、商用交流電源１０７の電圧値の変化などで直流電圧Ｖ２が変化しＡＩＮ２の電圧が前記第１の閾値を上回ったら、直ちに第２のリレー２ｂをオンさせるようにリレー駆動回路５に指令し、第２のリレー２ｂの接点をノーマル開側に切替え商用電源トランス１１１の１次側巻線の巻数が更に多くなるタップに回路が切り替わり商用電源トランス１１１の２次側の電圧が巻数比により出力が下がる。その後、商用交流電源１０７の電圧値の変化などで直流電圧Ｖ２が変化しＡＩＮ２の電圧が第２の閾値（例えば、商用交流電源１０７の入力電圧値ではＡＣ２４０Ｖに相当）を下回ったら、直ちに第２のリレー２ｂをオフさせるようにリレー駆動回路５に指令し、第２のリレー２ｂの接点をノーマル閉側に切替え商用電源トランス１１１の１次側巻線の巻数が低くなるタップに回路が切り替わり商用電源トランス１１１の２次側の電圧が巻数比により出力が上がる。次にこの状態において、直流電圧Ｖ１が変化しＡＩＮ１の電圧が第３の閾値（例えば、Ｖ１の電圧では２９Ｖに相当）を上回ったら、直ちに第２のリレー２ｂをオンさせるようにリレー駆動回路５に指令し、第２のリレー２ｂの接点をノーマル開側に切替え商用電源トランス１１１の２次側巻線の巻数が多くなるタップに回路が切り替わり商用電源トランス１１１の２次側の電圧が巻数比により出力が下がる。その後、商用交流電源１０７の電圧値の変化などで直流電圧Ｖ１が変化しＡＩＮ１の電圧が第４の閾値（例えば、Ｖ１の電圧では２０Ｖに相当）を下回ったら、直ちに第２のリレー２ｂをオフさせるようにリレー駆動回路５に指令し、第２のリレー２ｂの接点をノーマル閉側に切替え商用電源トランス１１１の１次側巻線の巻数が低くなるタップに回路が切り替わり商用電源トランス１１１の２次側の電圧が巻数比により出力が上がる。
【００８６】
このように商用電源周波数で変圧する商用電源トランス１１１を用いることで連続的な高周波雑音電波の放射がなく、また商用交流電源１０７の入力電圧値の変化に応じて第１のリレー２ａおよび第２のリレー２ｂを動作させ、さらに直流電圧Ｖ１が変化に応じて機敏に第１のリレー２ａおよび第２のリレー２ｂを動作されることで商用電源トランス１１１に設けた複数のタップの切替を自動的に行うので決められた所望の出力電圧である直流電圧Ｖ１は決められた範囲（ここでは２０〜２９Ｖ）に収まることができる。
【００８７】
（実施の形態８）
従来例、実施の形態１、４と同一部分に付いては同一番号を付し詳細な説明を省略する。
【００８８】
図１１に示すように、供給された商用交流電源１０７は商用電源トランス１１１の１次巻線間に接続され、前記商用電源トランス１１１の２次巻線に設けた複数のタップを自動的に切り替えるタップ切替手段としてのスイッチ素子として１Ｃ接点型である第１のリレー２ａのノーマル閉端子に前記タップの１つが接続され、この第１のリレー２ａのノーマル開端子が商用電源トランス１１１の２次側巻線に設けた複数のタップを切り替える手段としての１Ｃ接点型である第２のリレー２ｂのコモン端子に接続され、この第２のリレー２ｂのノーマル閉端子が前記商用電源トランス１１１の２次側巻線に設けた複数の他のタップの１つに接続され、前記第２のリレー２ｂのノーマル開端子は商用電源トランス１１１の２次側巻線に設けた複数のタップの残りの１つに接続される。前記第１のリレー２ａのコモン端子と商用電源トランス１１１の２次巻線のコモン端子が第１のダイオードブリッジ１１２に接続され全波整流され第１のコンデンサー１１３で平滑された直流電圧Ｖ１となり、前記直流ファンモーター１０５および冷却装置電子制御装置１０４に接続される。また、公称電圧が２００Ｖから２５０Ｖに至る広範囲な商用交流電圧の値を検出する入力交流電圧検出手段としての入力電圧検出装置６には電圧トランス７を商用交流電源１０７に接続し、電圧トランス７の２次側出力電圧を第２のダイオードブリッジ８と第２のコンデンサー９で平滑する。この平滑した直流電圧Ｖ２が前記電子制御装置１０４に備えた前記マイコン１のアナログ入力端子ＡＩＮ２に印加される。
【００８９】
上記構成において、マイコン１のＡＩＮ１およびＡＩＮ２には直流電圧Ｖ１の分圧電圧および直流電圧Ｖ２が印加される。まず、マイコン１のＡＩＮ２の電圧が第１の閾値（例えば、商用交流電源１０７の入力電圧値が２２０Ｖに相当する値）を上回ったら直ちに第１のリレー２ａをオンさせるようにリレー駆動回路５に指令し、第１のリレー２ａの接点をノーマル開側に切替え商用電源トランス１１１の１次側巻線の巻数が多くなるタップに回路が切り替わり商用電源トランス１１１の２次側の電圧が巻数比により出力が下がる。その後、商用交流電源１０７の電圧値の変化などで直流電圧Ｖ１が変化しＡＩＮ２の電圧が前記第１の閾値を上回ったら、直ちに第２のリレー２ｂをオンさせるようにリレー駆動回路５に指令し、第２のリレー２ｂの接点をノーマル開側に切替え商用電源トランス１１１の１次側巻線の巻数が更に多くなるタップに回路が切り替わり商用電源トランス１１１の２次側の電圧が巻数比により出力が下がる。その後、商用交流電源１０７の電圧値の変化などで直流電圧Ｖ２が変化しＡＩＮ２の電圧が第２の閾値（例えば、商用交流電源１０７の入力電圧値ではＡＣ２４０Ｖに相当）を下回ったら、直ちに第２のリレー２ｂをオフさせるようにリレー駆動回路５に指令し、第２のリレー２ｂの接点をノーマル閉側に切替え商用電源トランス１１１の１次側巻線の巻数が低くなるタップに回路が切り替わり商用電源トランス１１１の２次側の電圧が巻数比により出力が上がる。次にこの状態において、直流電圧Ｖ１が変化しＡＩＮ１の電圧が第３の閾値（例えば、Ｖ１の電圧では２９Ｖに相当）を上回ったら、直ちに第２のリレー２ｂをオンさせるようにリレー駆動回路５に指令し、第２のリレー２ｂの接点をノーマル開側に切替え商用電源トランス１１１の２次側巻線の巻数が多くなるタップに回路が切り替わり商用電源トランス１１１の２次側の電圧が巻数比により出力が下がる。その後、商用交流電源１０７の電圧値の変化などで直流電圧Ｖ１が変化しＡＩＮ１の電圧が第４の閾値（例えば、Ｖ１の電圧では２０Ｖに相当）を下回ったら、直ちに第２のリレー２ｂをオフさせるようにリレー駆動回路５に指令し、第２のリレー２ｂの接点をノーマル閉側に切替え商用電源トランス１１１の１次側巻線の巻数が低くなるタップに回路が切り替わり商用電源トランス１１１の２次側の電圧が巻数比により出力が上がる。
【００９０】
このように商用電源周波数で変圧する商用電源トランス１１１を用いることで連続的な高周波雑音電波の放射がなく、また商用交流電源１０７の入力電圧値の変化に応じて第１のリレー２ａおよび第２のリレー２ｂを動作させ、さらに直流電圧Ｖ１が変化に応じて機敏に第１のリレー２ａおよび第２のリレー２ｂを動作されることで商用電源トランス１１１に設けた複数のタップの切替を自動的に行うので決められた所望の出力電圧である直流電圧Ｖ１は決められた範囲（ここでは２０〜２９Ｖ）に収まることができる。
【００９１】
（実施の形態９）
従来例、実施の形態１乃至８と同一部分に付いては同一番号を付し詳細な説明を省略する。
【００９２】
図１２に示すように、供給された商用交流電源１０７の一相は商用電源トランス１１１の１次側巻線に設けた複数のタップを自動的に切り替えるタップ切替手段としてのスイッチ素子として１Ｃ接点型である第１のリレー２ａのコモン端子に接続され、この第１のリレー２ａのノーマル閉端子が前記商用電源トランス１１１の１次側巻線に設けた複数のタップの１つに接続され、前記第１のリレー２ａのノーマル開端子は商用電源トランス１１１の１次側巻線に設けた複数のタップの残りの１つに接続され、商用交流電源１０７の他相は商用電源トランス１１１の１次巻線のコモン端子に接続される。前記商用電源トランス１１１の２次巻線に設けた複数のタップを自動的に切り替えるタップ切替手段としてのスイッチ素子として１Ｃ接点型である第２のリレー２ｂのノーマル閉端子に前記タップの１つが接続され、この第２のリレー２ｂのノーマル開端子が商用電源トランス１１１の２次側巻線に設けた複数のタップの残りの１つに接続される。前記第２のリレー２ｂのコモン端子と商用電源トランス１１１の２次巻線のコモン端子が第１のダイオードブリッジ１１２に接続され全波整流され第１のコンデンサー１１３で平滑された直流電圧Ｖ１となり、前記直流ファンモーター１０５および前記電子制御装置１０４に接続される。また、公称電圧が２００Ｖから２５０Ｖに至る広範囲な商用交流電圧の値を検出する入力交流電圧検出手段としての入力電圧検出装置６には電圧トランス７を商用交流電源１０７に接続し、電圧トランス７の２次側出力電圧を第２のダイオードブリッジ８と第２のコンデンサー９で平滑する。この平滑した直流電圧Ｖ２が前記電子制御装置１０４に備えた前記マイコン１のアナログ入力端子ＡＩＮ２に印加される。
【００９３】
上記構成において、マイコン１のＡＩＮ１およびＡＩＮ２には直流電圧Ｖ１の分圧電圧および直流電圧Ｖ２が印加される。まず、マイコン１のＡＩＮ２の電圧が第１の閾値（例えば、商用交流電源１０７の入力電圧値が２２０Ｖに相当する値）を上回ったら直ちに第１のリレー２ａをオンさせるようにリレー駆動回路５に指令し、第１のリレー２ａの接点をノーマル開側に切替え商用電源トランス１１１の１次側巻線の巻数が多くなるタップに回路が切り替わり商用電源トランス１１１の２次側の電圧が巻数比により出力が下がり、直流電圧Ｖ１が変化しＡＩＮ１の電圧が第２の閾値（例えば、Ｖ１の電圧では２０Ｖに相当）を下回ったら、直ちに第２のリレー２ｂをオンさせるようにリレー駆動回路５に指令し、第２のリレー２ｂの接点をノーマル開側に切替え商用電源トランス１１１の２次側巻線の巻数が多くなるタップに回路が切り替わり商用電源トランス１１１の２次側の電圧が巻数比により出力が上がる。その後、商用交流電源１０７の電圧値の変化などで直流電圧Ｖ２が変化しＡＩＮの電圧が第２の閾値（例えば、商用交流電源１０７の入力電圧値ではＡＣ２４０Ｖに相当）を下回ったら、直ちに第１のリレー２ａをオフさせるようにリレー駆動回路５に指令し、第１のリレー２ａの接点をノーマル閉側に切替え商用電源トランス１１１の１次側巻線の巻数が低くなるタップに回路が切り替わり商用電源トランス１１１の２次側の電圧が巻数比により出力が上がる。この状態において、直流電圧Ｖ１が変化しＡＩＮ１の電圧が第４の閾値（例えば、Ｖ１の電圧では２９Ｖに相当）を上回ったら、直ちに第２のリレー２ｂをオフさせるようにリレー駆動回路５に指令し、第２のリレー２ｂの接点をノーマル閉側に切替え商用電源トランス１１１の２次側巻線の巻数が少なくなるタップに回路が切り替わり商用電源トランス１１１の２次側の電圧が巻数比により出力が下がる。
【００９４】
このように商用電源周波数で変圧する商用電源トランス１１１を用いることで連続的な高周波雑音電波の放射がなく、また商用交流電源１０７の入力電圧値の変化に応じて第１のリレー２ａおよび第２のリレー２ｂを動作させ、さらに直流電圧Ｖ１が変化に応じて機敏に第１のリレー２ａおよび第２のリレー２ｂを動作されることで商用電源トランス１１１に設けた複数のタップの切替を自動的に行うので決められた所望の出力電圧である直流電圧Ｖ１は決められた範囲（ここでは２０〜２９Ｖ）に収まることができる。
【産業上の利用可能性】
【００９５】
冷却装置本体やコントローラーに取り付けた電源ラインに電力線搬送通信用の信号を搬送させる信号搬送部を用いて容易に省配線、省スペース化を実現し、航空機の気密室や貨物コンテナなどの気密性を有する収納函などの空調設備などにも適用できる。
【図面の簡単な説明】
【００９６】
【図１】本発明の実施の形態１の発熱体収納函冷却装置の電源安定化回路の構成を示すブロック図
【図２】本発明の実施の形態１の出力電圧検出手段の構成を示す回路図
【図３】本発明の実施の形態２の発熱体収納函冷却装置の電源安定化回路の構成を示すブロック図
【図４】本発明の実施の形態３の発熱体収納函冷却装置の電源安定化回路の構成を示すブロック図
【図５】本発明の実施の形態４の発熱体収納函冷却装置の電源安定化回路の構成を示すブロック図
【図６】本発明の実施の形態４の入力電圧検出手段の構成を示す回路図
【図７】本発明の実施の形態５の発熱体収納函冷却装置の電源安定化回路の構成を示すブロック図
【図８】本発明の実施の形態６の発熱体収納函冷却装置の電源安定化回路の構成を示すブロック図
【図９】本発明の実施の形態７の発熱体収納函冷却装置の電源安定化回路の構成を示すブロック図
【図１０】本発明の実施の形態７の入力電圧検出手段および出力電圧検出手段の構成を示す回路図
【図１１】本発明の実施の形態８の発熱体収納函冷却装置の電源安定化回路の構成を示すブロック図
【図１２】本発明の実施の形態９の発熱体収納函冷却装置の電源安定化回路の構成を示すブロック図
【図１３】従来の発熱体収納函冷却装置の構成図
【図１４】従来の発熱体収納函冷却装置の構成を示す構成図
【図１５】従来の発熱体収納函冷却装置の電源安定化回路の構成を示すブロック図
【図１６】従来の発熱体収納函冷却装置の電源安定化回路の構成を示すブロック図
【符号の説明】
【００９７】
１      マイコン
２ａ    第１のリレー
２ｂ    第２のリレー
３      第１の抵抗器
４      第２の抵抗器
５      リレー駆動回路
６      入力電圧検出装置
７      電圧トランス
８      第２のダイオードブリッジ
９      第２のコンデンサー
１０１  発熱体収納函
１０２  冷却装置
１０４  電子制御装置
１０５  直流ファンモーター
１０６  直流電源
１０７  商用交流電源
１１１  商用電源トランス
１１２  第１のダイオードブリッジ
１１３  第１のコンデンサー
【図１】
2007018422.tif 000003
【図２】
2007018422.tif 000004
【図３】
2007018422.tif 000005
【図４】
2007018422.tif 000006
【図５】
2007018422.tif 000007
【図６】
2007018422.tif 000008
【図７】
2007018422.tif 000009
【図８】
2007018422.tif 000010
【図９】
2007018422.tif 000011
【図１０】
2007018422.tif 000012
【図１１】
2007018422.tif 000013
【図１２】
2007018422.tif 000014
【図１３】
2007018422.tif 000015
【図１４】
2007018422.tif 000016
【図１５】
2007018422.tif 000017
【図１６】
2007018422.tif 000018